(57)【要約】      （修正有）【課題】スズメバチによる被害からミツバチを保護するミツバチ保護具を提供する。【解決手段】ミツバチ保護具１０は、巣門１４と対向する位置に配される正面板と、正面板の上下両方向にそれぞれに配される上面板および底面板と、正面板の左右両方向にそれぞれ配される左側面板および右側面板によって一端が閉鎖された筒状体によって構成される本体部１８と、左側面板の左側に延出する左装着板と、右側面板の右側に延出する右装着板によって構成される装着部２０とによって構成され、正面板、上面板、底面板、左側面板および右側面板に、ミツバチのみを選択的に通過させ得る開口部１６が設けられている。【選択図】図１
0003208543.tif 000002
【実用新案登録請求の範囲】
【請求項１】
巣箱に設けられている巣門の前方に装着され、スズメバチによる被害からミツバチを保護するためのミツバチ保護具であって、
本体部と、
前記本体部を前記巣門の前方に装着するための装着部を備え、
前記本体部が、前記巣門と対向する位置に配される正面板と、前記正面板の上下両方向にそれぞれに配される上面板および底面板と、前記正面板の左右両方向にそれぞれ配される左側面板および右側面板によって一端が閉鎖された筒状体によって構成され、
前記装着部が、前記左側面板の左側に延出する左装着板と、前記右側面板の右側に延出する右装着板によって構成され、
前記正面板、前記上面板、前記底面板、前記左側面板および右側面板に、ミツバチのみを選択的に通過させ得る開口部が設けられていることを特徴とする、
ミツバチ保護具。
【請求項２】
前記左装着板および前記右装着板が、左右方向の長さを調節可能であることを特徴とする、
請求項１に記載のミツバチ保護具。
【請求項３】
前記開口部の周縁に、前記本体部の外側に厚みを増す膨出部が形成されていることを特徴とする、
請求項１または２に記載のミツバチ保護具。
【請求項４】
前記正面板、前記上面板、前記底面板、前記左側面板および右側面板が前記本体部の外側から内側が透視可能な素材で構成されていることを特徴とする、
請求項１乃至３の何れかに記載のミツバチ保護具。
【請求項５】
少なくとも前記上面板に遮光機能を有する素材が用いられているか、もしくは遮光剤が施されていることを特徴とする、
請求項１乃至４の何れかに記載のミツバチ保護具。
【請求項６】
前記本体部が、前記正面板側に向けて窄まっており、複数の個体を重ね合わせることができるように形成されていることを特徴とする、
請求項１乃至５の何れかに記載のミツバチ保護具。
【請求項７】
前記本体部が、市販のスズメバチ捕獲器の内部に収まる程度の大きさであることを特徴とする、
請求項１乃至６の何れかに記載のミツバチ保護具。
【考案の詳細な説明】
【技術分野】
【０００１】
本考案は、スズメバチによる被害からミツバチや巣箱の中の幼虫等を保護するためのミツバチ保護具に関する。
【背景技術】
【０００２】
日本の養蜂では、主としてニホンミツバチとセイヨウミツバチの二種類のミツバチを用いて蜜の採取を行っている。ニホンミツバチは野生の採蜜がほとんどであり、その蜂蜜の流通量は非常に少ないのが現状である。セイヨウミツバチは規格化された人工巣箱を用いた飼育によって比較的大規模な採蜜が可能であるため、現在では商業養蜂の主流の種となっている。ミツバチにとってスズメバチは天敵であり、特に秋季の餌が欠乏する時期になるとスズメバチによるミツバチの捕食が始まり、巣箱に侵入したスズメバチが幼虫も含めてミツバチを全滅させることもしばしば起きている。これは商業養蜂家にとっては死活問題でもあるため、これまでにもスズメバチによる被害からミツバチを保護するための様々な対策が採られてきている。
【０００３】
スズメバチ対策の代表的なものとしては、スズメバチ捕獲器を巣門（ミツバチが巣箱に出入りする開口部）の前面に設置し、巣門から侵入しようとするスズメバチを捕獲器に閉じ込める方法、粘着シートに生きたままスズメバチを貼り付け、スズメバチから発せられるフェロモンによって他のスズメバチを誘引して粘着シートに貼り付ける方法、ジュースやハチミツなどを入れた容器にトラップを仕掛ける方法などが挙げられる。これ以外にも例えば特許文献１には、巣門の前方に二枚のプレートを取り付け、プレートの間に縦方向に複数の糸を張った装置が提案されている。糸の間隔は、ミツバチが羽を傷めることなく自由に通り抜けられる寸法であって、かつスズメバチが侵入を恐れる程度の寸法に設定されている。また特許文献２には、巣門の周囲をプラスチックダンボール製の防除器で覆うという装置が提案されている。防除器の上面には横長の開口部を設け、開口部がミツバチは通り抜けることができるが、スズメバチは侵入できない程度の大きさに設定されている。
【先行技術文献】
【特許文献】
【０００４】
【特許文献１】特許第５８３２５９３号公報
【特許文献２】実用新案登録第３２０３９４６号公報
【考案の概要】
【考案が解決しようとする課題】
【０００５】
スズメバチの被害からミツバチを保護するためには、スズメバチの捕獲や殺処分までは必ずしも要求されず、巣門からの侵入を防ぐことで目的を達成することができる。また巣箱の周囲に近づく全てのスズメバチを捕獲することは現実的ではなく、捕獲したスズメバチの処分にも時間と労力を費やすことになる。そのため、特許文献１および２に開示されているようなスズメバチの侵入そのものを防ぐことを目的とした装置が有効になる。
【０００６】
しかしながら、特許文献１に開示されている装置は、二枚のプレートを規定の間隔で巣箱に固定しなければ糸が張らず、スズメバチの侵入を許してしまうことになる。また張力の変化や紫外線による影響で切断する可能性も考えられる。商業養蜂家は数百個の巣箱を所有していることもあり、その全てに着脱するための時間や労力も考慮しなければならない。特許文献２に開示されている装置は、この点を考慮した工夫がなされており、着脱を容易にするとともに、巣箱の不使用時の保管場所の問題も解決している。ところが、ミツバチが出入りする開口部は上面のみに設けられているため、通気性が良くなく、高温多湿に弱いミツバチに悪影響を及ぼす可能性がある。また雨水の排出も考慮されていない。さらには側板を巣箱の側面に固定するように構成されているため、巣箱の規格に合わせた専用設計が必要となり、汎用性に乏しい。
【課題を解決するための手段】
【０００７】
本考案は、従来技術に存在する問題を解決することを課題とするものであり、以下に示す解決手段を提案する。
【０００８】
本考案は、巣箱に設けられている巣門の前方に装着され、スズメバチによる被害からミツバチを保護するためのミツバチ保護具であって、
本体部と、
前記本体部を前記巣門の前方に装着するための装着部を備え、
前記本体部が、前記巣門と対向する位置に配される正面板と、前記正面板の上下両方向にそれぞれに配される上面板および底面板と、前記正面板の左右両方向にそれぞれ配される左側面板および右側面板によって一端が閉鎖された筒状体によって構成され、
前記装着部が、前記左側面板の左側に延出する左装着板と、前記右側面板の右側に延出する右装着板によって構成され、
前記正面板、前記上面板、前記底面板、前記左側面板および右側面板に、ミツバチのみを選択的に通過させ得る開口部が設けられていることを特徴とする、
ミツバチ保護具である。
【０００９】
ミツバチ保護具は、本体部と連続する左右の装着板を巣門の左右に固定することで比較的容易に巣箱に装着することができる。左右の装着板の長さを調節することで、規格を問わず様々なサイズの巣箱に装着することができる。装着板にミシン目やスライド機構を付加することで長さの調節が容易になる。本体部を構成する正面板、上面板、底面板、左右の側面板の全てに開口部が設けられているため、通気性がよく、ミツバチの生態に与える影響を極少化することができる。特に底面板に設けられている開口部は、ミツバチの出入りのほかに雨水の排出や、チョーク病等の発生によって死亡したミツバチの廃棄等にも用いられる。
【００１０】
開口部の周縁に本体部の外側に厚みを増す膨出部を形成することで、雨水の浸入を防止することでできるとともに、スズメバチの噛み切りによる開口部の拡大を防止することができる。
【００１１】
正面板、上面板、底面板および左右の側面板を、本体部の外側から内側が透視可能な素材で構成することで、ミツバチ保護具を取り外すことなく内部の様子を確認することができる。
【００１２】
上面板に遮光機能を有する素材を用いるか、もしくは遮光剤を施すことで、内部の温度上昇を抑えることができる。
【００１３】
本体部を、正面板側に向けて窄まり、複数の個体を重ね合わせることができるように形成することで、ミツバチ保護具をスタッキング収納することができるようになり、特に冬場の使用しない時期に場所を取らずにコンパクトに保管しておくことができる。
【００１４】
本体部を、市販のスズメバチ捕獲器の内部に収まる程度の大きさにすることで、既にスズメバチ捕獲器を所有している場合であっても、買い直したり改造したりすることなくそのまま併用することができる。
【考案の効果】
【００１５】
本考案によれば、巣箱の規格を問わず様々なサイズの巣箱に装着することができるミツバチ保護具を実現することができる。また、通気性や排水性を犠牲にすることなくスズメバチの侵入のみを効果的に阻止することができる。
【図面の簡単な説明】
【００１６】
【図１】ミツバチ保護具を巣箱に装着した状態を示す外観図
【図２】ミツバチ保護具の正面図
【図３】ミツバチ保護具の平面図
【図４】ミツバチ保護具の装着部を示す部分拡大図
【図５】ミツバチ保護具の装着部の変形例を示す図
【図６】ミツバチ保護具の装着部の他の変形例を示す図
【図７】開口部の周縁の膨出部を示す図
【図８】ミツバチ保護具の装着方法を示す外観図
【考案を実施するための形態】
【００１７】
以下、ミツバチ保護具の実施形態について、図面を参照しながら説明する。図１に示すように、ミツバチ保護具１０は、巣箱１２の巣門１４の前方に装着して使用する。ミツバチ保護具１０は巣門１４を完全に覆うように装着されるため、巣箱１２への出入は、ミツバチ保護具１０の複数箇所に設けられている開口部１６を通じて行われる。開口部１６は、ミツバチは容易に通過することができるが、スズメバチ、特にミツバチの天敵とも言えるオオスズメバチは容易には通過できない程度の大きさに設定されている。そのため、ミツバチ保護具１０を巣箱１２に装着することで、スズメバチの巣箱１２への侵入を阻止し、巣箱１２の中に棲息する働き蜂や女王蜂、幼虫等をスズメバチによる被害から保護することができる。
【００１８】
続いて、ミツバチ保護具１０の構成について、図２および図３を参照しながら説明する。ミツバチ保護具１０は、 本体部１８と、本体部１８を巣箱に装着するための装着部２０を備えている。本体部１８は、巣箱に設けられている巣門と対向する位置に配される正面板２２と、正面板２２の上下両方向にそれぞれに配される上面板２４および底面板２６と、正面板２２の左右両方向にそれぞれ配される左側面板２８および右側面板３０によって、正面板２２側が閉鎖された筒状体に形成されている。正面板２２は矩形であり、上面板２４、底面板２６、左側面板２８および右側面板３０は台形であり、本体部１８は正面板２２側に向けて窄まった形状となっている。この本体部１８の形状によって、ミツバチ保護具１０は複数の個体を重ね合わせてスタックした状態でコンパクトに収納することができるようになっている。
【００１９】
装着部２０は、左側面板２８の左側に延出する左装着板３２と、右側面板３０の右側に延出する右装着板３４によって構成される。装着部２０は、本体部１８とともに巣箱１２の前面に設けられている巣門１４を完全に覆うように装着される。一般的に使用されている巣箱１２はラ式（ラングストロス式）と呼ばれる形態のものが多く、図４に示すように、巣門１４の周囲が平坦な面３６となっており、その両側に凸部３８が設けられている。ミツバチ保護具１０は巣箱１２の規格に関係なく対応可能な汎用であるため、装着部２０の大きさ（左右方向の長さ）を調整することで、凡ゆる巣箱１２に隙間なく装着することができるようになっている。例えば図５に示すように、左装着板３２および右装着板３４にミシン目４０等を設けておき、巣箱１２の規格に応じてミシン目４０で折り曲げる、もしくは切断することで簡単に長さを調整することができる。また図６に示すように、左装着板３２および右装着板３４にスライド機構４２を導入して任意の長さに調整できるようにしてもよい。
【００２０】
本体部１８の正面板２２、上面板２４、底面板２６、左側面板２８および右側面板３０には開口部１６が設けられている。開口部１６はミツバチの出入口になるとともに、上下や左右の４面に設けられた開口部１６が通気性を向上させる機能を担っている。また特に底面板２６に設けられた開口部１６は、雨水の排水性の向上とともに、巣箱１２の内部でチョーク病等の発生によって死亡したミツバチの廃棄等にも用いられる。開口部１６の周縁は、図７に示すように、本体部１８の外側に厚みを増す肉厚の膨出部４４となっている。膨出部４４は、特に上面板２４からの雨水の浸入を防止する機能とともに、スズメバチの噛み切りによる開口部１６の拡大を防止する機能を担っている。
【００２１】
続いて、ミツバチ保護具１０を巣箱１２に装着する方法について説明する。ミツバチ保護具１０を巣箱１２に装着する方法には大きく分けて２つの方法がある。一つは、ミツバチ保護具１０に紐４６を取り付け、巣箱１２に固定した釘４８等に結びつけて固定する方法である。図８では、本体部１８に紐４６を通すための穴を設け、巣箱１２の左右両側には釘４８を打ち込み、穴に通した紐４６を左右両側に引っ張って各々釘４８に結び付けてミツバチ保護具１０を巣箱１２に装着した例を示している。紐の代わりにゴムを使用し、釘の代わりにフックを使用すれば、ゴムの針をフックに引っ掛けるだけで簡単に装着することができ、結び目がないので取り外しも容易である。他方、ミツバチ保護具１０の装着に紐等を使用しない方法としては、装着部２０に接着剤を塗布して巣箱１２に直接貼り付ける方法、面ファスナーを使用して着脱自在に貼り付ける方法などがある。
【００２２】
従来、スズメバチによる被害からミツバチを保護するためにスズメバチ捕獲器が広く用いられており、市販の捕獲器を所持している商業養蜂家も多い。そのため本発明に係るミツバチ保護具１０を使用するに際して、既に所持しているスズメバチ捕獲器を併せて使用したいという要望もある。ミツバチ保護具１０は、装着部２０が板状体であって厚みがなく、巣門１４の前方に装着されるため、その上からスズメバチ捕獲器を装着する際の妨げにはならない。
【符号の説明】
【００２３】
１０  ミツバチ保護具
１２  巣箱
１４  巣門
１６  開口部
１８  本体部
２０  装着部
２２  正面板
２４  上面板
２６  底面板
２８  左側面板
３０  右側面板
３２  左装着板
３４  右装着板
４０  ミシン目
４２  スライド機構
４４  膨出部
４６  紐
４８  釘
【図１】
0003208543.tif 000003
【図２】
0003208543.tif 000004
【図３】
0003208543.tif 000005
【図４】
0003208543.tif 000006
【図５】
0003208543.tif 000007
【図６】
0003208543.tif 000008
【図７】
0003208543.tif 000009
【図８】
0003208543.tif 000010